(57)【要約】【課題】ワイドエリア向けコンテンツとローカルエリア向けコンテンツを含むブロードキャスト信号を送信するに際し、電波の使用効率を高めることができる放送制御装置、およびそのような放送を受信する放送受信装置を提供する。【解決手段】  ワイドエリア部分とローカルエリア部分を含むブロードキャスト信号を放送する放送制御装置１００は、ワイドエリア向けのコンテンツとローカルエリア向けのコンテンツにより構成された番組を放送する場合、単一の番組内においても、ワイドエリア向けのコンテンツを放送する際はワイドエリア向けのコンテンツをワイドエリア部分に含め、ローカルエリア向けのコンテンツを放送する際はローカルエリア向けのコンテンツをローカルエリア部分に含めるように動的に制御する制御部１１０を備えている。【選択図】図3
2010109627.tif 000002
【特許請求の範囲】
【請求項１】
ワイドエリア部分とローカルエリア部分とを含むブロードキャスト信号を放送する放送制御装置において、
ワイドエリア向けのコンテンツとローカルエリア向けのコンテンツとにより構成された番組を放送する場合、単一の番組内において、前記ワイドエリア向けのコンテンツを放送するに際し、該ワイドエリア向けのコンテンツを前記ワイドエリア部分に含め、前記ローカルエリア向けのコンテンツを放送するに際し、該ローカルエリア向けのコンテンツを前記ローカルエリア部分に含めるように動的に制御する制御部を備える放送制御装置。
【請求項２】
前記制御部は、単一の番組内におけるワイドエリア向けのコンテンツとローカルエリア向けのコンテンツとが、それぞれワイドエリア部分とローカルエリア部分とのどちらに含まれているかを示す制御信号を、ブロードキャスト信号に含めて放送するように制御することを特徴とする、請求項１に記載の放送制御装置。
【請求項３】
ワイドエリア部分とローカルエリア部分とを含むブロードキャスト信号を受信する受信部と、
単一の番組内におけるワイドエリア向けのコンテンツとローカルエリア向けのコンテンツとがそれぞれワイドエリア部分とローカルエリア部分とのどちらに含まれているかを示す制御信号を、前記受信部が受信したブロードキャスト信号から検出して、当該制御信号に基づいて、ワイドエリア部分に含まれるコンテンツとローカルエリア部分に含まれるコンテンツとを切り替えて再生するように制御する制御部と、
を備える放送受信装置。
【発明の詳細な説明】
【技術分野】
【０００１】
本発明は、多チャンネル放送サービスを提供することができる放送制御装置、および当該放送を受信する放送受信装置に関するものである。
【背景技術】
【０００２】
地上デジタルテレビジョン放送に代表される地上波の複数の放送局から番組を放送する放送形態においては、各放送局がそれぞれ送信する電波の干渉を避けるため、隣接する放送局間で異なる周波数帯域を使用してサービスを提供している。放送局ごとに異なる周波数を使用するため、複数の放送局からの異なる電波が存在する場所においても、端末側で特定の周波数にチューニングすることにより、特定の放送を視聴することができる。したがって、各放送局は、放送波の届く範囲内にて、その放送が提供される地域に特化した内容の番組（例えば、特定の地域向けコマーシャルや地域限定の番組など）を放送することができる。
【０００３】
一方、このような放送形態において、例えば全国規模の広域向けの放送を行う場合、各放送局が（異なる周波数で）同一内容の番組を放送することもできる。
【０００４】
また、これらの放送を組み合わせたような、全国放送などの広域向け放送（以下、「広域放送」という）を行いながら、必要に応じて、例えば一部の時間帯に特定の地方向けの狭域放送（以下、「地域放送」という）を挿むような形態の放送が行われることがある。例えば、ニュース番組において、最初は広域放送により全国向けのニュースを放送し、途中から地域放送により当該地域に特化したニュースを放送することができる。他にも、広域放送により最初に全国的な天気予報を放送し、途中から地域放送により当該地域に特化した天気予報を放送したりすることもできる。また、広域放送により全国向けの番組を放送しつつ、番組の途中で、視聴する地域に応じた地域別のコマーシャル放送を挿入することもできる。
【０００５】
しかしながら、このような放送形態による広域放送は、実際には、複数の地域放送において同一内容の番組を流すものである。すなわち、この場合、各放送局は、同じ内容の広域放送を含む番組を、全体的には地域放送として、それぞれ異なる周波数を用いて放送している。したがって、このような形態の放送は、広域放送としての観点からは、有限な周波数の帯域を有効に用いた放送とは言い難い。
【０００６】
一方、衛星放送に代表される、人工衛星から番組を配信するような放送形態では、広域な放送エリアの全てにおいて同一の周波数帯域を用いている。このような放送形態は、同一の周波数帯域を用いることにより、広域な放送エリアの全てに同じ内容の番組を放送するものである。したがって、通常の衛星放送のシステムでは、衛星からの電波が届く領域内で、地域別の異なる放送を行うことはできない。
【０００７】
そこで、衛星放送で用いる広域放送の放送波に、地域放送に相当する複数の番組の内容を多重し、各放送の内容を示すエリア指定タグを付すことができる送信装置、および当該放送を受信する受信装置が提案されている（例えば、特許文献１参照）。
【０００８】
この特許文献１に記載の送信装置は、（放送局から配信された）放送コンテンツに加えてエリアを示す情報を添付した放送プログラムを、人工衛星により地上に放送する。視聴者が所有する受信装置は、その視聴者の現在位置がエリアを示す情報に含まれているときにのみ、対応するコンテンツを再生する。したがって、単一の周波数帯域による広域放送を行いながら、その放送の一部において、受信装置の存在する地域に応じた地域放送も行うことができる。
【０００９】
しかしながら、この特許文献１に記載の放送態様では、地域放送を行うために、その放送波に全ての地域に対応したコンテンツを多重しなければならない。しかしながら、本来、各地域に必要なのは、当該地域に向けた地域放送のコンテンツのみであり、多重されている他地域に向けたコンテンツは不要である。したがって、この方法も、不要な多数のコンテンツを多重化して配信するという点で、有限な公共資源と言うべき周波数の帯域を有効利用した放送態様とは言い難い。
【００１０】
一方、最近、単一周波数帯域での広域放送と地域放送を同時に実現するシステムとして「MediaFLO」（登録商標）が提案されている。MediaFLOとは、携帯端末向け多チャンネル放送サービスであり、移動体環境に適した技術によって、映像や音楽を配信するものである。
【００１１】
MediaFLOのエアインターフェースはFLO(Forward Link Only)と呼ばれ、FLOの物理層にはOFDMが採用されている。以下、例として、２００８年現在商用サービスを行っている米国のMediaFLOの仕様を説明する。図６に示すように、FLOは６ＭＨｚの帯域幅を使用し、サブキャリアの本数は４０９６本である。この４０９６本のサブキャリアのうち、実際に使用するサブキャリアは、ガードサブキャリア９６本を除いた４０００本である。MediaFLOは、４０００本のサブキャリアを、８つのインタレースと呼ばれるグループに分割する。各インタレースは、４０００本のサブキャリアから８本おき選択した５００本のサブキャリアから構成される。１つのインタレースはパイロットシンボルとして使用されるため、残りの７つのインタレースがデータ送信に使用される。MediaFLOでは、１つのインタレースを最小の単位として、周波数帯域に対するサービス（映像、音声、字幕など）の割り当てが行われる。
【００１２】
図７は、インタレースに対するサービスの割り当て例を示す図である。縦軸のインタレースは周波数軸における分割を表し、横軸は時間軸の分割を表している。MediaFLOの各サービスは、MLC(Multicast Logical Channel)と呼ばれる論理チャンネル上で運ばれる。MLCは、１つ以上のインタレースと、１つ以上のOFDMシンボルとから構成される。図７の太線で囲まれた範囲はそれぞれ異なるMLCを表すものであり、各MLCには、映像、音声、および字幕などのデータが格納されている。また、例えば図７の斜線で示すMLCのみで構成されるサービスを視聴するには、当該MLCを構成するインタレースおよびOFDMシンボルのみをデコードすれば良い。
【００１３】
このように、MediaFLOでは時間領域、周波数領域を細かく分割したサービスの割り当てが行われており、必要なMLCのみを選択的にデコードする（間欠受信する）ことによって、放送受信端末の受信部の省電力化を図ることができる。なお、MediaFLOでは、１つのチューナで全てのインタレースを受信することができるため、さらに数多くのMLCを同時にデコードし、複数のサービスを同時に視聴することも可能である。
【００１４】
MediaFLOは、ワイドエリア送信およびローカルエリア送信などの、異なるエリアタイプの番組をブロードキャストすることができる。このため、MediaFLOは、単一周波数帯域で、広域放送に相当する「ワイド(Wide)エリア」向けコンテンツと、地域放送に相当する「ローカル(Local)エリア」向けコンテンツとを放送するための、時間軸上で区切られた信号領域を持つ。番組内でコンテンツ全ての情報が、複数の地域において同一である広域放送は、Wideエリアで放送信号を送信する。一方、ある番組内でコンテンツの情報が、複数の地域において同一でない地域放送は、Localエリアの領域で放送信号を送信する。
【００１５】
図８は、MediaFLOのシステムの構成を概略的に示す図である。MediaFLOのシステムは複数の「ローカル(Local)エリア」から構成される。このローカルエリアは地上波放送における地域放送エリアに相当する。また、これら複数のローカルエリアの集合により「ワイド(Wide)エリア」が構成される。このワイドエリアは地上波放送における全国放送エリアなどに相当する。
【００１６】
なお、ワイドエリア送信は、ネットワーク内の全てまたは多くの基地局を合む基地局群によって、大きな地理的領域にわたってブロードキャストされる送信形態である。また、ローカルエリア送信は、所定のワイドエリア送信に関する所定の集合内の基地局の部分集合によって、ワイドエリアの地理的領域よりも小さな地理的領域にわたってブロードキャストされる送信形態である。記述の簡略化のため、ワイドエリア送信のための大きな地理的領域は、広域カバレージエリアまたは単に「ワイドエリア」と呼ばれ、ローカルエリア送信のための小さな地理的領域は、ローカルカバレージエリアまたは単に「ローカルエリア」と呼ばれる。
【００１７】
ブロードキャストシステムのネットワークは、例えば、国全体、国内における大きな地方（例えば、関東地方、関西地方など）、または１つの都道府県全体などの大きなカバレージエリアを有してもよい。また、ブロードキャストシステムのネットワークは、例えば、単一のワイドエリア送信が日本国全体にわたってブロードキャストされ、一方、異なるローカルエリア送信が、例えば関東地方および関西地方などの異なる地方にわたってブロードキャストされてもよい。
【００１８】
各ローカルエリアには、それぞれLOC(Local Operation Center)とよばれるオペレーションセンタが存在する。このLOCは、地上波放送における地域放送局（ローカル局）に相当するものであり、放送を送信するための送信アンテナ部を含んでいる。各ローカルオペレーションセンタLOCは、それぞれのコンテンツプロバイダCPから、ローカルエリア向けのコンテンツの提供を受ける。なお、簡略化のため、図８においては、１つのLOCが１つの基地局を有する場合を図示している。
【００１９】
また、複数のローカルエリアの集合により構成されるワイドエリアには、地上波放送におけるキー局（全国局）に相当するWOC(Wide-area Operation Center)とよばれるオペレーションセンタが存在する。このWOCは、ワイドエリア向けのコンテンツをコンテンツプロバイダCPから提供してもらい、そのコンテンツを各オペレーションセンタLOCに配信する。
【００２０】
このようにして、各ローカルオペレーションセンタLOCは、カバーするエリアに存在する多数の放送受信端末に向けて、同一周波数により、ローカルエリア向けのコンテンツおよびワイドエリア向けのコンテンツを配信できる。
【００２１】
図９は、MediaFLOに用いられるフレームの構成を単純化して示した図である。MediaFLOで用いられるフレームは、周期(Duration)が１秒間のスーパーフレーム(Superframe)と呼ばれるフレームから構成される。１つのスーパーフレームには、４つのフレームが含まれる。各フレームはさらに、時間的に、ワイドエリア向けのコンテンツのデータ(Wide-area Data)とローカルエリア向けのコンテンツのデータ(Local-area Data)とに分割される。なお、これらワイドエリア向けデータとローカルエリア向けデータとの境界は、自由に設定することができる。各Wide-area DataおよびLocal-area Dataのそれぞれにどのような情報が入っているかを表すために、OIS(Overhead Information Symbol)という領域が用意されている。このOISも、時間的にWide-areaとLocal-areaに分割されている。
【００２２】
図８に示したようなシステム構成においてMediaFLOによる放送を行う場合、各LOCは、WOCからの情報（コンテンツ）はワイドエリア向けデータ領域に配置して放送し、また各LOCの情報（コンテンツ）はローカルエリア向けデータ領域に配置して放送する。
【００２３】
図９に示すスーパーフレームにおける各フレームの前半部分(Wide-area data)で広域放送を送信することにより、全てのLOCの送信アンテナ部から同じ波形の電波が送信される。このため、１つの放送受信端末が複数のLOCの送信アンテナからの信号を受信したとしても、放送受信端末の側では復調が可能であることが期待できる。さらに、この場合、同時刻において複数の各LOCからワイドエリア向けの同一コンテンツが受信できることにより信号の補完ができるため、干渉に強いという効果も期待できる。一方、スーパーフレームにおける各フレームの後半部分(Local-area data)は各LOCにおいて異なる信号になる。このため、１つの放送受信端末が複数のLOCの送信アンテナから信号を受信した場合、電波干渉が生じて放送受信端末の側で復調できなくなる恐れがある。
【００２４】
したがって、例えば図１０に示すように、各LOCのアンテナ部から送信される電波の届く範囲（セル）が重ならない領域においては、ワイドエリア向けの放送もローカルエリア向けの放送も良好に受信することができる。すなわち、放送受信端末３００−１および３００−３は、ローカルオペレーションセンタLOC-1およびLOC-3のそれぞれのアンテナ部から送信される、ワイドエリア向けの放送もローカルエリア向けの放送も良好に（干渉なく）受信できる。
【００２５】
一方、複数のローカルオペレーションセンタLOCのセルが重なる領域、例えば放送受信端末３００−２の位置においては、複数のLOCからの同時刻において同一の電波を用いたワイドエリア向けのコンテンツが配信される。この場合、放送受信端末３００−２は、たとえセルエッジの位置に存在したとしても、同一の電波により信号が補完されて干渉に強くなるため、ワイドエリア向けのコンテンツを受信することができる。しかしながら、この放送受信端末３００−２の位置においては、同一の電波を用いてローカルエリア向けの異なるコンテンツが配信されるので、電波干渉が生じ、このコンテンツの復調は一般にできない。したがって、この位置においては、複数のLOCからの同じ波形であるワイドエリア向けの放送を視聴することはできるが、LOCごとに異なるローカルエリア向けの放送のコンテンツを復調して視聴することはできない。
【００２６】
【特許文献１】特開２００１−１２７７２１
【発明の開示】
【発明が解決しようとする課題】
【００２７】
このように、ワイドエリア部分とローカルエリア部分を含むブロードキャスト信号を放送するMediaFLOのシステムにおいて、上述した、広域放送を行いながら必要に応じて一部の時間だけ地域放送を挿むような放送を実現することについて、以下検討する。
【００２８】
MediaFLOのシステムにおいては、ワイドエリア向けのデータ(Wide-area Data)は物理的に同じ波形の電波を用いて放送される。したがって、たとえ一部でも放送内容に異なる部分がある場合には、コンテンツの全てをローカルエリア向けのデータ(Local-area Data)にて放送する必要がある。そのため、通常のMediaFLOのシステムにおいて広域放送の一部に地域放送を挿む放送を行うには、上述した地上波放送の場合に似せて、複数の地域放送のチャンネルに同一内容の（広域放送の）コンテンツを含ませる必要がある。
【００２９】
以下、このような放送について図１１を参照してさらに説明する。図１１は、２つの時刻において、各ローカルオペレーションセンタLOC-1〜LOC-3がそれぞれ放送する、各チャンネルの番組におけるコンテンツの例を示す図である。なお、前述したように、MediaFLOの番組(MLC)は２次元的に配置することができ、さらに各番組はデータ量に応じてMLCの大きさも異なる。以下の説明においては、説明の簡略化のため、各番組は、１次元的な配置の、同じMLCの大きさで記述する。図１１（ａ）は時刻Ｔ１における各コンテンツを、また図１１（ｂ）は時刻Ｔ２における各コンテンツを示しており、時刻Ｔ１から或る時間が経過して時刻Ｔ２に移行した状態を示す。
【００３０】
各ローカルオペレーションセンタLOC-1〜LOC-3において、ブロードキャスト信号のワイドエリア部分(Wide-area Data)によるワイドエリア放送は、CH_W1〜CH_Wxまでｘ個のチャンネルを設定している。また、ブロードキャスト信号のローカルエリア部分(Local-area Data)によるローカルエリア放送は、CH_L1〜CH_Lyまでｙ個のチャンネルを設定している。このように、MediaFLOによる放送においては、同一周波数により、広域放送および地域放送を、それぞれに複数チャンネル放送することができる。
【００３１】
図１１（ａ）に示すように、各ローカルオペレーションセンタLOC-1〜LOC-3は、それぞれのワイドエリア部分において、同じチャンネルで同じ番組のコンテンツのデータを配信する。すなわち、各ローカルオペレーションセンタLOC-1〜LOC-3ともに、チャンネルCH_W1においてはニュース、チャンネルCH_W2ではスポーツ、チャンネルCH_W3ではドラマ、…、チャンネルCH_Wxではドキュメンタリーの番組のコンテンツを配信する。ワイドエリア部分におけるコンテンツは、これを送信する電波が物理的に同一のため、コンテンツの内容も同一である。
【００３２】
一方、各ローカルオペレーションセンタLOC-1〜LOC-3のそれぞれのローカルエリア部分においては、本来、各ローカルオペレーションセンタ独自のコンテンツプロバイダから入手した異なるコンテンツを配信することができる。しかしながら、ここでは、広域放送を行いながら一部の時間だけ地域放送を挿むような放送を行うため、そのような放送を行う番組を構成するコンテンツ全体を、ローカルエリア部分の領域にて配信する必要がある。したがって、図１１（ａ）に示すように、各ローカルオペレーションセンタLOC-1〜LOC-3は、それぞれのローカルエリア部分において、２つのチャンネルにて、（広域放送向けの）同じコンテンツである「ニュース」と「スポーツ」を配信する。なお、このような広域放送向けのコンテンツは、ワイドエリアオペレーションセンタWOCから取得する。
【００３３】
各ローカルオペレーションセンタLOC-1〜LOC-3で、ローカル放送のチャンネルCH_L1では「ニュース」、チャンネルCH_L2では「スポーツ」と統一してもよい。しかしながら、本来ローカルエリア部分は、各ローカルオペレーションセンタLOC-1〜LOC-3が独自に番組のチャンネルを設定できる領域である。そのため、ローカルオペレーションセンタLOC-2においては、チャンネルの配置を変更して、全体として２つのチャンネルで「ニュース」と「スポーツ」という同じ内容のコンテンツを配信する場合について説明する。
【００３４】
このように、時刻Ｔ１の時点では、全ローカルオペレーションセンタLOC-1〜LOC-3のローカル放送のチャンネルCH_L1およびCH_L2により、同内容の「ニュース」および「スポーツ」を放送する。これにより、擬似的にワイドエリア放送と同じような放送を行う。
【００３５】
このような放送を行っている最中に、時刻Ｔ２になった時点で、ローカル放送のチャンネルCH_L1およびCH_L2のそれぞれにおいて、各ローカルオペレーションセンタLOC-1〜LOC-3にて異なるローカル放送を行う。地域放送においては、本来、各ローカルオペレーションセンタLOC-1〜LOC-3が独自のコンテンツを配信できる。このため、図１１（ｂ）に示すように、ローカルオペレーションセンタLOC-1においては、チャンネルCH_L1にて地域ニュースLOC-1のコンテンツを配信し、チャンネルCH_L2にて地域ＣＭ LOC-1のコンテンツを配信する。また、ローカルオペレーションセンタLOC-2においては、チャンネルCH_L1にて地域ＣＭ LOC-2のコンテンツを配信し、チャンネルCH_L2にて地域ニュースLOC-2のコンテンツを配信する。さらに、ローカルオペレーションセンタLOC-3においては、チャンネルCH_L1にて地域ニュースLOC-3のコンテンツを配信し、チャンネルCH_L2にて地域ＣＭ LOC-3のコンテンツを配信する。
【００３６】
このように処理することで、時刻Ｔ１の時点で広域放送の「ニュース」を配信していたチャンネルにおいて、時刻Ｔ２の時点では各地域の地域放送による「地域ニュース」が配信される。また、時刻Ｔ１の時点で広域放送の「スポーツ」を配信していたチャンネルにおいて、時刻Ｔ２の時点では各地域の地域放送による「地域ＣＭ（コマーシャル）」が配信される。したがって、通常のMediaFLOのシステムにおいて、広域放送を行いながら一部の時間に地域放送を挿むような放送を擬似的に再現できる。
【００３７】
しかしながら、このような放送においては、番組を構成する全てのコンテンツを、ローカル放送により行っている。そのため、図１０に示した放送受信端末３００−１および３００−３のように、各LOCのアンテナ部から送信される電波の届く範囲（セル）が重ならない領域においては、ローカルエリア放送を受信できる。しかしながら、図１０に示した放送受信端末３００−２のように、複数のローカルオペレーションセンタLOCのセルが重なる領域では、ローカル放送によるコンテンツは全く受信できなくなる。したがって、この場合、本来ワイドエリア向けの放送もローカル放送にて放送しているため、結局両方の放送を視聴できなくなる。
【００３８】
例えば、図１１（ｂ）に示したLOC-2のように、ローカル放送のチャンネルの配置を他のLOCとは変更して放送している場合、各チャンネルのコンテンツが他のLOCと異なるため、LOC-2のセルと他のセルが重なる部分ではローカル放送の電波を復調できない。
【００３９】
さらに、各LOCにてチャンネルに対応する番組のコンテンツを統一したとしても、はやりLOCのセル同士が重なる部分ではローカル放送の電波を復調できない。これは、異なるLOCから配信されるコンテンツは、例えばその内容やチャンネルを同じにしてローカル放送を行う場合であっても、通常、当該放送に用られるMLCの配置が異なるためである。すなわち、内容やチャンネルを同じにしてローカル放送を行っても、通常は物理的に同じ電波にはならないため干渉が生じるからである。
【００４０】
したがって、このような放送形態は、LOCのセル同士が重なる領域にいる視聴者にとって極めて不便な放送となる。
【００４１】
次に、上述した特許文献１において提案されている方法に基づいて、同様の放送をMediaFLOのシステムにより実現することについて、以下検討する。
【００４２】
図１２は、２つの時刻において、各ローカルオペレーションセンタLOC-1〜LOC-3が特許文献１に記載の方法の示唆に基づいて放送する、各チャンネルの番組におけるコンテンツの例を示す図である。図１１と同様に、図１２（ａ）は時刻Ｔ１における各コンテンツを、また図１２（ｂ）は時刻Ｔ２における各コンテンツを示しており、時刻Ｔ１から或る時間が経過して時刻Ｔ２に移行した状態を示す。
【００４３】
特許文献１に記載の放送方法は、各地域別の放送を行うために、各地域放送の放送内容を全て多重化して、広域放送として放送している。したがって、このような放送をMediaFLOにより再現しようとすると、１つのチャンネルについて、地域別の放送を行うLOCの数だけ広域放送のチャンネル数を多重化して放送を行うことになる。
【００４４】
例えば、図１２（ａ）に示すように、時刻Ｔ１において各ローカルオペレーションセンタLOC-1〜LOC-3が広域放送のチャンネルCH_W1でニュースを放送していたとする。このチャンネルの放送のコンテンツが、時刻Ｔ２において地域別の放送を開始したとする。この場合、図１２（ｂ）に示すように、もともと１つのチャンネルCH_W1で放送していた内容が、３つの地域別の放送になる。そのため、時刻Ｔ２からは、合計３つのチャンネルCH_W1を用いることにより、「地域ニュース LOC-1」、「地域ニュース LOC-2」、および「地域ニュース LOC-3」の３つの広域放送を行う必要がある。
【００４５】
同様に、図１２（ａ）において、時刻Ｔ１においてLOC-1〜LOC-3が広域放送のチャンネルCH_W2でスポーツを放送していたとする。このチャンネルの放送のコンテンツが、時刻Ｔ２において地域別の放送を開始する場合、図１２（ｂ）に示すように、同様に３つのチャンネルCH_W2を用いて、異なる地域別の放送を広域放送により行う必要がある。
【００４６】
したがって、このような放送形態は、同一内容の広域放送を異なる地域別の放送に切り替えると、もとの広域放送１チャンネルにつき異なる地域の数だけの（広域放送の）チャンネルを用いて地域別の異なる放送を行う必要がある。このため、ワイドエリア向けのデータ領域に配置できる最大チャンネル数は、チャンネルを多重化するぶんだけ減少する。図１２の例においては、異なる地域別の放送を行うLOCが３つの場合を例示したが、地域の数が増えるにつれて最大チャンネル数は著しく減少するため、このような放送形態は効率の良い放送とは言い難い。
【００４７】
したがって、上述した各放送形態の不都合を解消すべくなされた本発明の目的は、ワイドエリア向けコンテンツとローカルエリア向けコンテンツを含むブロードキャスト信号を送信するに際し、電波の使用効率を高めることができる放送制御装置、および当該放送を受信する放送受信装置を提供することにある。
【課題を解決するための手段】
【００４８】
上記目的を達成する請求項１に係る放送制御装置の発明は、
ワイドエリア部分とローカルエリア部分とを含むブロードキャスト信号を放送する放送制御装置において、
ワイドエリア向けのコンテンツとローカルエリア向けのコンテンツとにより構成された番組を放送する場合、単一の番組内において、前記ワイドエリア向けのコンテンツを放送するに際し、該ワイドエリア向けのコンテンツを前記ワイドエリア部分に含め、前記ローカルエリア向けのコンテンツを放送するに際し、該ローカルエリア向けのコンテンツを前記ローカルエリア部分に含めるように動的に制御する制御部を備えることを特徴とするものである。
【００４９】
請求項２に係る発明は、請求項１に記載の放送制御装置において、
前記制御部は、単一の番組内におけるワイドエリア向けのコンテンツとローカルエリア向けのコンテンツとが、それぞれワイドエリア部分とローカルエリア部分とのどちらに含まれているかを示す制御信号を、ブロードキャスト信号に含めて放送するように制御することを特徴とするものである。
【００５０】
また、上記目的を達成する請求項３に係る放送受信装置の発明は、
ワイドエリア部分とローカルエリア部分とを含むブロードキャスト信号を受信する受信部と、
単一の番組内におけるワイドエリア向けのコンテンツとローカルエリア向けのコンテンツとがそれぞれワイドエリア部分とローカルエリア部分とのどちらに含まれているかを示す制御信号を、前記受信部が受信したブロードキャスト信号から検出して、当該制御信号に基づいて、ワイドエリア部分に含まれるコンテンツとローカルエリア部分に含まれるコンテンツとを切り替えて再生するように制御する制御部と、
を備えることを特徴とするものである。
【発明の効果】
【００５１】
本発明によれば、コンテンツ内の同一内容の部分を広域放送に、また地域ニュースや地域ＣＭの部分を地域放送に動的に切り替えて放送を行うので、電波干渉に強い放送を実現することができ、さらに電波の使用効率を向上できる。したがって、本発明を適用した放送により、上述した各放送形態の不都合を回避することができる。
【発明を実施するための最良の形態】
【００５２】
以下、図面を参照しながら、本実施の形態による放送制御装置および放送受信装置を説明する。本実施の形態による放送制御装置および放送受信装置は、それぞれMediaFLOの放送システムを構成する放送送信装置および放送受信装置を想定して説明する。しかしながら、本発明はMediaFLOの放送システムを構成する装置に限定されるものではなく、ワイドエリア部分とローカルエリア部分を含むブロードキャスト信号を放送する任意のシステムに適用することができる。
【００５３】
図１は、本実施の形態による放送制御装置の構成を概略的に示す機能ブロック図である。図１に示す放送制御装置１００は、図８にて説明したLOCの１つに対応するものであり、コンテンツプロバイダからコンテンツの配給を受け、そのコンテンツのデータをアンテナ部から送信するものである。
【００５４】
具体的には、放送制御装置１００は、ローカルエリアコンテンツプロバイダ１２０（以下、単に「ローカルＣＰ」という）から、ローカルエリア放送向けのコンテンツの配給を受ける。また、放送制御装置１００は、ワイドエリアコンテンツプロバイダ１３０（以下、単に「ワイドエリアＣＰ」という）から、ワイドエリア放送向けのコンテンツの配給を受ける。なお、図１においては、説明の簡略化のため、図８に示したWOCを省略して、放送制御装置１００がワイドエリアＣＰ１３０から直接コンテンツの配給を受けるものとして説明する。
【００５５】
図１に示すように、放送制御装置１００は、制御部１１０と、変調部１４０と、送信部１５０と、送信アンテナ１６０とを備えている。
【００５６】
制御部１１０は、ローカルＣＰ１２０およびワイドエリアＣＰ１３０から各コンテンツの配給を受け、これらに多重化処理などを施し、そのコンテンツのデータ信号を変調部１４０に供給する。このため、制御部１１０は、多重化処理部１１２と、制御信号生成部１１４とを含んでいる。多重化処理部１１２は、ローカルＣＰ１２０およびワイドエリアＣＰ１３０から供給されたコンテンツに多重化処理を施してから変調部１４０に供給する。この際に、制御信号生成部１１４は、各コンテンツ情報に基づく制御信号を生成して、多重化処理部１１２に供給する。多重化処理部１１２は、多重化処理部１１２から供給された制御信号も各コンテンツとともにに多重化して変調部１４０に供給する。
【００５７】
変調部１４０は、制御部１１０から供給された多重化信号を変調して変調信号を生成する。送信部１５０は、変調部１５０により生成された変調信号をＲＦ信号に変換し、送信アンテナ１６０を介して放送受信装置（後述）に送信する。
【００５８】
図２は、本実施の形態による放送受信装置の構成を概略的に示す機能ブロック図である。図２に示す放送受信装置２００は、上述した放送制御装置１００から送信された放送信号を受信する。なお、本実施の形態において、放送受信装置は例えば携帯電話のような移動体受信端末を想定して説明する。しかしながら、本実施の形態に係る放送受信装置は携帯電話に限定されるものではなく、ワイドエリア部分とローカルエリア部分を含むブロードキャスト信号を受信可能な放送受信装置であれば任意の端末（装置）に適用可能である。
【００５９】
図２に示すように、放送受信装置２００は、制御部２１０と、記憶部２２０と、受信アンテナ２３０と、受信部２４０と、復調部２５０と、音声デコーダ部２６０と、音声出力部（スピーカ）２７０と、映像デコーダ部２８０と、映像表示部２９０とを備えている。
【００６０】
制御部２１０は、受信部２４０および復調部２５０の制御をはじめとして、放送受信装置２００全体の動作を制御する。記憶部２２０は、各種の情報（コンテンツなど）を記憶し、特に、受信したコンテンツ情報および当該コンテンツ情報に基づく後述の制御情報などを記憶する。受信部２４０は、放送制御装置１００から送信された電波を、受信アンテナ２３０を介して受信する。受信部２４０はさらに、このように受信したＲＦ信号を、内蔵のチューナによりベースバンド信号に変換する。復調部２５０は、受信部２４０により変換されたベースバンド信号を復調し、必要なデータを取り出す。復調部２５０により取り出されたデータは、音声信号／映像信号／制御信号などの各信号に分離される。
【００６１】
音声デコーダ部２６０は、分離された音声信号をデコードする。音声出力部２７０は、音声デコーダ部２６０が音声信号をデコードすることにより得られる音声を出力する。映像デコーダ部２８０は、分離された映像信号をデコードする。映像表示部２９０は、映像デコーダ部２８０が映像信号をデコードすることにより得られる映像を表示する。また、制御部２１０は、分離された制御信号を解析することにより、各種の制御を行う。
【００６２】
次に、本実施の形態による放送制御装置１００および放送受信装置２００を用いて、広域放送を行いながら一部の時間に地域放送を挿むような放送を行う際の動作について説明する。
【００６３】
まず、放送制御装置１００が放送を行う際の動作として、ワイドエリア向けのコンテンツとローカルエリア向けのコンテンツにより構成された番組を放送する際のコンテンツの配置について説明する。
【００６４】
本実施の形態では、放送制御装置１００は、ワイドエリア向けのコンテンツを放送する際には、ワイドエリア向けのコンテンツをブロードキャスト信号のワイドエリア部分に含める。また、これと単一の番組内においてローカルエリア向けのコンテンツを放送する際、放送制御装置１００は、ローカルエリア向けのコンテンツをブロードキャスト信号のローカルエリア部分に含める。このようにして、放送制御装置１００は、適時、ワイドエリア向けのコンテンツをワイドエリア部分に含め、ローカルエリア向けのコンテンツをローカルエリア部分に含めるように動的に制御して放送を行う。以下、このような動作について具体例を用いて説明する。
【００６５】
図３は、２つの時刻において、各ローカルオペレーションセンタLOC-1〜LOC-3の放送制御装置１００がそれぞれ放送する、各チャンネルの番組におけるコンテンツの配置例を示す図である。なお、図３についても、図１１と同様に簡略化して説明する。図３（ａ）は時刻Ｔ１における各コンテンツの配置を、また図３（ｂ）は時刻Ｔ２における各コンテンツの配置を示しており、時刻Ｔ１から或る時間が経過して時刻Ｔ２に移行した状態を示す。
【００６６】
例えば、図３（ａ）に示すように、時刻Ｔ１において各ローカルオペレーションセンタLOC-1〜LOC-3が広域放送のチャンネルCH_W1でニュースのコンテンツを放送し、広域放送のチャンネルCH_W2でスポーツのコンテンツを放送する場合を説明する。この場合、広域放送のコンテンツを配信するため、各ローカルオペレーションセンタLOC-1〜LOC-3の放送制御装置１００は、これらのワイドエリア向けコンテンツを、ブロードキャスト信号のワイドエリア部分(Wide-area Data)に配置して放送する。
【００６７】
その後、これらのチャンネルで放送するコンテンツが、時刻Ｔ２において、それぞれ地域別の放送に分かれる場合を説明する。この場合、図３（ｂ）に示すように、各LOCの放送制御装置１００は、もともとブロードキャスト信号のワイドエリア部分(Wide-area Data)に配置して放送していたコンテンツを、ローカルエリア部分(Local-area Data)に動的に配置を変更する。
【００６８】
すなわち、ワイドエリア部分に配置していた「ニュース」のコンテンツは、LOC-1においては「地域ニュースLOC-1」、LOC-2においては「地域ニュースLOC-2」、LOC-3においては「地域ニュースLOC-3」のコンテンツに切り替えてローカルエリア部分に配置する。また、ワイドエリア部分に配置していた「スポーツ」のコンテンツは、LOC-1においては「地域ＣＭ LOC-1」、LOC-2においては「地域ＣＭ LOC-2」、LOC-3においては「地域ＣＭ LOC-3」のコンテンツに切り替えてローカルエリア部分に配置する。
【００６９】
このように、本実施の形態では、単一の番組内でワイドエリア部分とローカルエリア部分との境界を動的に変更する。これにより、単一の番組内で広域放送から地域放送に切り替える際、同一内容の広域放送向けコンテンツをワイドエリア部分に配置していた状態から、地域別に異なる地域放送向けコンテンツをローカルエリア部分に配置する状態へと動的に変更する。したがって、放送を行いながら一部の時間に地域放送を挿むような放送を行ったとしても、必要な総チャンネル数を増大させることはない。さらに、広域放送はワイドエリア部分に配置して放送する。このため、この放送を受信する放送受信装置２００は、複数のLOCのセルが重なる領域においても、少なくともワイドエリア向けのコンテンツは復調して再生することができる。
【００７０】
以下、広域放送と地域放送とを切り替えて行う放送を行う際の、放送制御装置１００によるコンテンツ送信処理、および放送受信装置２００によるコンテンツ受信処理について説明する。
【００７１】
図４は、放送制御装置１００によるコンテンツ送信（放送）処理を説明するフローチャートである。本実施の形態によるコンテンツ送信処理の開始時点では、既に通常の動作であるコンテンツの変調および送信を行っているものとする。放送制御装置１００の通常の動作とは、ローカルＣＰ１２０およびワイドエリアＣＰ１３０から取得した各コンテンツを、多重化処理部１１２が多重化し、変調部１４０が変調し、送信部１５０が送信アンテナ１６０を介して放送受信装置２００に送信（放送）する動作である。
【００７２】
このような通常の動作を行っている最中、制御部１１０は、ローカルＣＰ１２０およびワイドエリアＣＰ１３０から取得した各コンテンツに、コンテンツ切替時間情報Tchangeが含まれているか否かを監視する（ステップＳ１０１）。なお、コンテンツプロバイダ（ＣＰ）以外の装置から、コンテンツ切替時間情報Tchangeを取得してもよい。コンテンツ切替時間情報Tchangeとは、広域放送から地域放送へ、またはその逆へコンテンツを切り替えるべき時刻を示す情報である。
【００７３】
ステップＳ１０１にて、この切替時間情報Tchangeが含まれていない場合、制御部１１０は、現在のコンテンツを変調して送信（放送）する通常の動作を継続する（ステップＳ１０２）。その後、ステップＳ１０３にて、制御部１１０は、引き続きコンテンツの送信（放送）を行う場合にはステップＳ１０１に戻り、コンテンツの送信（放送）を中止する場合には、コンテンツ送信処理を終了する。
【００７４】
ステップＳ１０１において、コンテンツ情報に含まれる切替時間情報Tchangeを取得した場合、制御部１１０は、Tchangeの示す時刻からToffsetに基づく時間を差し引いた時刻と、現在の時刻とを比較する（ステップＳ１０４）。なお、Toffsetとは、放送受信装置２００がチャンネルの切り替えを行うのに充分な準備時間を示す情報である。ステップＳ１０４にて、現在時刻が、TchangeからToffsetを引いた時刻に満たない場合、制御部１１０は、現在のコンテンツを変調して送信（放送）する通常の動作を継続して（ステップＳ１０５）、ステップＳ１０４に戻る。
【００７５】
一方、ステップＳ１０４にて、現在時刻が、TchangeからToffsetを引いた時刻に達した場合、制御部１１０の制御信号生成部１１４は、切り替えるべきコンテンツのコンテンツ情報に基づいて制御信号を生成する（ステップＳ１０６）。この制御信号とは、コンテンツを切り替えるべき時刻や、切り替え先のチャンネル番号など、チャンネルの切り替えを行うための各種情報を含む信号である。特に、この制御信号は、広域放送と地域放送との切り替えを行うため、単一の番組内におけるワイドエリア向けのコンテンツとローカルエリア向けのコンテンツが、それぞれワイドエリア部分とローカルエリア部分のどちらに含まれているかを示す情報も含む。ステップＳ１０６にて制御信号が生成されたら、制御部１１０は、現在のコンテンツを変調してブロードキャスト信号として送信（放送）する際に、この制御信号を付加する（ステップＳ１０７）。
【００７６】
このような送信（放送）処理により、広域放送から地域放送へ、またはその逆へコンテンツを切り替える放送を行うにあたり、当該放送を受信する放送受信装置２００がチャンネルを切り替えるのに要する時間を考慮してコンテンツの配信を行うことができる。
【００７７】
図５は、放送受信装置２００によるコンテンツ受信処理を説明するフローチャートである。本実施の形態によるコンテンツ受信処理の開始時点では、既に通常の動作であるコンテンツの復調および再生を行っているものとする。放送受信装置２００の通常の動作とは、放送制御装置１００から受信部２４０が受信した各コンテンツを、復調部２５０が復調し、音声デコーダ部２６０および映像デコーダ部２８０がデコードし、音声出力部２７０および映像表示部２９０が再生する動作である。
【００７８】
このような通常の動作を行っている最中、制御部２１０は、放送制御装置１００から受信したブロードキャスト信号に、コンテンツ切替時間情報Tchangeを有する上述した制御信号が含まれているか否かを監視する（ステップＳ２０１）。
【００７９】
ステップＳ２０１にて、この制御信号を検出できない場合、制御部２１０は、現在のコンテンツを復調して再生する通常の動作を継続する（ステップＳ２０２）。その後、ステップＳ２０３にて、制御部２１０は、引き続きコンテンツの配信を行う場合にはステップＳ２０１に戻り、コンテンツの受信を中止する場合には、コンテンツ受信処理を終了する。
【００８０】
ステップＳ２０１にて、制御信号を検出した場合、制御部２１０は、この制御情報を記憶部２２０に記憶する。次に、制御部２１０は、切替時間情報Tchangeの示す時刻からToffsetに基づく時間を差し引いた時刻と、現在の時刻とを比較する（ステップＳ２０４）。なお、このToffsetとは、放送受信装置２００がチャンネルの切り替えを実際に行うのに要する時間である。放送受信装置２００におけるこのToffsetは、上述した放送制御装置１００におけるToffsetとは異なり、放送受信装置２００の仕様に応じて決定される機種依存情報である。ステップＳ２０４にて、現在時刻が、TchangeからToffsetを引いた時刻に満たない場合、制御部２１０は、現在のコンテンツを復調して再生する通常の動作を継続して（ステップＳ２０５）、ステップＳ２０４に戻る。
【００８１】
一方、ステップＳ２０４にて、現在時刻が、TchangeからToffsetを引いた時刻に達した場合、制御信号生成部１１４は、受信した制御情報に基づいて、切り替え先のコンテンツの復調を開始する（ステップＳ２０６）。切り替え先のコンテンツとは、現在広域放送のコンテンツを再生している場合は地域放送のコンテンツを表し、現在地域放送のコンテンツを再生している場合は広域放送のコンテンツを表す。
【００８２】
ステップＳ２０６にて切り替え先のコンテンツの復調を開始したら、制御部２１０は、現在時刻が、Tchangeの表す時刻に達したか否かを判定する（ステップＳ２０７）。ステップＳ２０７にて、現在時刻がTchangeの表す時刻に達していない場合、制御部２１０は、元のコンテンツを復調して再生する通常の動作を継続して（ステップＳ２０８）、ステップＳ２０７に戻る。
【００８３】
一方、ステップＳ２０７にて、現在時刻がTchangeの表す時刻に達した場合、制御部２１０は、受信した制御情報に基づいて、切り替え先のコンテンツの再生を開始してチャンネルの切り替えを行う（ステップＳ２０９）。
【００８４】
このような受信処理により、放送制御装置１００から番組を受信している放送受信装置２００は、広域放送から地域放送へ、またはその逆へのコンテンツの切り替えを行うべき時刻になった時点で、適切にチャンネルの切り替えを行うことができる。これにより、放送受信装置２００は、チャンネルを切り替えたことを、番組を視聴しているユーザに意識させることなく、動的に広域放送と地域放送を切り替えることができる。
【００８５】
以上説明したように、本実施の形態では、上記特許文献１の方法をMediaFLOで再現した場合のような、１つのチャンネルについて、地域別の放送を行うLOCの数だけ広域放送のチャンネル数を多重化して放送する必要はない。したがって、放送を行う無線通信に係るリソースの無駄がなく、効率的なコンテンツの配信を行うことができる。
【００８６】
また、本実施の形態では、ブロードキャスト信号を送信する際、地域放送はローカルエリア部分に配置し、広域放送はワイドエリア部分に配置して放送する。したがって、この放送を受信する放送受信装置は、複数のローカルオペレーションセンタのセルが重なる領域においても干渉の影響を受けないため、少なくともワイドエリア向けのコンテンツは復調して再生することができる。
【００８７】
なお、本発明は、上述した実施の形態にのみ限定されるものではなく、幾多の変更または変形が可能である。例えば、上述した実施の形態においては、放送制御装置１００がコンテンツ送信処理を行って広域放送から地域放送にコンテンツの配置を変更する際に、ワイドエリア部分のコンテンツを削除する場合について説明した（図３参照）。しかしながら、放送受信装置２００がチャンネルの切り替えに失敗する場合を考慮して、変更するコンテンツを削除せずに送信（放送）を継続してもよい。
【００８８】
また、上述した実施の形態においては、放送制御装置１００がコンテンツ送信処理を行う際に制御情報を付加するチャンネルは、コンテンツのデータを配置（送信）するチャンネルを想定して説明した（図４のステップＳ１０７）。しかしながら、例えばMediaFLOのような放送形態では、複数のチャンネルを１つのコンテンツに関連付けることができる。このため、このような複数のチャンネルのうち１つを制御情報チャンネルに割り当ててもよい。
【図面の簡単な説明】
【００８９】
【図１】本実施の形態による放送制御装置の概略構成を示す機能ブロック図である。
【図２】本実施の形態による放送受信装置の概略構成を示す機能ブロック図である。
【図３】本実施の形態による、複数のローカルオペレーションセンタがそれぞれ放送する、各チャンネルの番組におけるコンテンツの配置例を示す図である。
【図４】本実施の形態による放送制御装置の動作を説明するフローチャートである。
【図５】本実施の形態による放送受信装置の動作を説明するフローチャートである。
【図６】OFDMのサブキャリアを説明する図である。
【図７】インタレースに対するサービスの割り当て例を示す図である。
【図８】MediaFLOのシステム構成を概略的に示す図である。
【図９】MediaFLOに用いられるフレームの概略構成を示す図である。
【図１０】複数のローカルオペレーションセンタからの電波によるセルの態様を表す図である。
【図１１】従来技術による、複数のローカルオペレーションセンタがそれぞれ放送する、各チャンネルの番組におけるコンテンツの配置例を示す図である。
【図１２】従来技術による、複数のローカルオペレーションセンタがそれぞれ放送する、各チャンネルの番組におけるコンテンツの他の配置例を示す図である。
【符号の説明】
【００９０】
１００  放送制御装置
１１０  制御部
１１２  多重化処理部
１１４  制御信号生成部
１２０  ローカルエリアコンテンツプロバイダ
１３０  ワイドエリアコンテンツプロバイダ
１４０  変調部
１５０  送信部
１６０  送信アンテナ
２００  放送受信装置
２１０  制御部
２２０  記憶部
２３０  受信アンテナ
２４０  受信部
２５０  復調部
２６０  音声デコーダ部
２７０  音声出力部
２８０  映像デコーダ部
２９０  映像表示部
３００（３００−１〜３００−３）  放送受信装置
ＬＯＣ（ＬＯＣ−１〜ＬＯＣ−３）  ローカルオペレーションセンタ
ＷＯＣ  ワイドエリアオペレーションセンタ
ＣＰ  コンテンツプロバイダ
【図１】
2010109627.tif 000003
【図２】
2010109627.tif 000004
【図３】
2010109627.tif 000005
【図４】
2010109627.tif 000006
【図５】
2010109627.tif 000007
【図６】
2010109627.tif 000008
【図７】
2010109627.tif 000009
【図８】
2010109627.tif 000010
【図９】
2010109627.tif 000011
【図１０】
2010109627.tif 000012
【図１１】
2010109627.tif 000013
【図１２】
2010109627.tif 000014